(57)【要約】【課題】  本考案は、広告板、看板、標識板、掲示板、表札等に使用される表示板に関するものであって、特にプール内で使用される反射部材を有する表示板を提供する。【解決手段】  透明合成樹脂板の片面に形成される溝部に光輝微細片を分散させ固着してなり、水中にて使用される表示板において、透明合成樹脂板と不透明フィルムを積層させてなる複層板の前記不透明フィルムに溝部を削成し、前記溝部に光輝微細片を分散させて固着し、前記光輝微細片に着色塗料を塗布し、第二反射部を形成し、前記第二反射部を有する前記複層板の裏面側に第一反射板及びコルク板を順次重合固着し、前記コルク板を除く外周縁を防水シールにて被覆したことを特徴とする表示板。【選択図】  図４
0003132462.tif 000002
【実用新案登録請求の範囲】
【請求項１】
透明合成樹脂板の片面に形成される溝部に光輝微細片を分散させ固着してなり、水中にて使用される表示板において、
透明合成樹脂板と不透明フィルムを積層させてなる複層板の前記不透明フィルムに溝部を削成し、
前記溝部に光輝微細片を分散させて固着し、
前記光輝微細片に着色塗料を塗布し、第二反射部を形成し、
前記第二反射部を有する前記複層板の裏面側に第一反射板及びコルク板を順次重合固着し、前記コルク板を除く外周縁を防水シールにて被覆したことを特徴とする表示板。
【請求項２】
透明合成樹脂板の片面に形成される溝部に光輝微細片を分散させ固着してなり、水中にて使用される表示板において、
透明合成樹脂板と不透明フィルムを積層させてなる複層板の前記不透明フィルムから前記透明合成樹脂板にかけて前記透明合成樹脂板の一部を残して溝部を削成し、
前記溝部に光輝微細片を分散させて固着し、
前記光輝微細片に着色塗料を塗布し、第二反射部を形成し、
前記第二反射部を有する前記複層板の裏面側に第一反射板及びコルク板を順次重合固着し、前記コルク板を除く外周縁を防水シールにて被覆したことを特徴とする表示板。
【考案の詳細な説明】
【技術分野】
【０００１】
本考案は、広告板、看板、標識板、掲示板、表札等に使用される表示板に関するものであって、特にプール内で使用される反射部材を有する表示板に関するものである。
【背景技術】
【０００２】
従来、出願人は以下のような、表示板に係る出願を行っている。透明合成樹脂基板の片面に、文字、記号、模様等を形成する溝を形成し、該溝底に透明アクリル樹脂からなる下地層を、また、薄い二枚の透明フィルムの間に着色したアルミ箔を挟んで細断し０．２メッシュ乃至０．５メッシュ程度とした光輝微細片と透明樹脂とを混合してなる中間層を下地層の表面に、さらに該中間層の表面に透明樹脂からなる押圧層を、それぞれ半乾き状態で順次積層して固化させてなる表示板、及び該表示板を表示板本体としてその裏面に更に着色合成樹脂板を接着した表示板が公知である。（例えば、特許文献１参照。）
【０００３】
これによって、中間層を構成する光輝微細片が、溝内において下地層と押圧層の間で偏ることなく、平均的且つ不規則に分散し、光線を乱反射するようになり、溝の形成されていない表面から文字等を観察すると、溝の深さによる立体感に優れ、光線の乱反射による色彩変化から得られるラメ糸状の輝きがある文字等が顕出されるようになるものである。
【特許文献１】実開平６−２３０７４号公報
【考案の開示】
【考案が解決しようとする課題】
【０００４】
前記特許文献１においては、主に、広告板、看板、標識板、掲示板、表札等に使用される表示板であるが、溝の刻設されていない他の片面が表面となるように、水族館等において水中に水生物の種類を表示する名札として使用したり、壁面に溝刻設面を密着させて表示札としても使用されるものである。
【０００５】
しかし、水族館等の水中で使用される場合において、当該構成は、表示板のみの構成であるので、表示板における透明合成樹脂基板の隙間から表示板内に水が浸入することが危惧され、水中での長期に亘る使用には適さないおそれがあった。
【０００６】
また、当該構成は、光輝微細片と透明樹脂とを混合してなる中間層であり、光輝微細片は透明樹脂内に練りこまれている構成であることから、透明樹脂に外光が吸収され、十分な反射光を得ることが困難であった。
【０００７】
そこで、本考案はこのような問題点を解決するものであって、水中にて長期に亘り使用できるものであり、より強い反射光を得ることができるものであって、特にプール内で使用される反射部材を有する表示板を提供することを課題とする。
【課題を解決するための手段】
【０００８】
前記問題点を解決するために、本考案の請求項１に記載の考案の表示板は、透明合成樹脂板の片面に形成される溝部に光輝微細片を分散させ固着してなり、水中にて使用される表示板において、透明合成樹脂板と不透明フィルムを積層させてなる複層板の前記不透明フィルムに溝部を削成し、前記溝部に光輝微細片を分散させて固着し、前記光輝微細片に着色塗料を塗布し、第二反射部を形成し、前記第二反射部を有する前記複層板の裏面側に第一反射板及びコルク板を順次重合固着し、前記コルク板を除く外周縁を防水シールにて被覆したことを特徴とするものである。
【０００９】
本考案の請求項２に記載の考案の表示板は、透明合成樹脂板の片面に形成される溝部に光輝微細片を分散させ固着してなり、水中にて使用される表示板において、透明合成樹脂板と不透明フィルムを積層させてなる複層板の前記不透明フィルムから前記透明合成樹脂板にかけて前記透明合成樹脂板の一部を残して溝部を削成し、前記溝部に光輝微細片を分散させて固着し、前記光輝微細片に着色塗料を塗布し、第二反射部を形成し、前記第二反射部を有する前記複層板の裏面側に第一反射板及びコルク板を順次重合固着し、前記コルク板を除く外周縁を防水シールにて被覆したことを特徴とするものである。
（作用）
【００１０】
本願考案の表示板に係る考案では、透明合成樹脂板の片面に形成される溝部に光輝微細片を分散させ固着してなり、水中にて使用される表示板において、透明合成樹脂板と不透明フィルムを積層させてなる複層板の前記不透明フィルムに溝部を削成し、前記溝部に光輝微細片を分散させて固着し、前記光輝微細片に着色塗料を塗布し、第二反射部を形成し、前記第二反射部を有する前記複層板の裏面側に第一反射板及びコルク板を順次重合固着し、前記コルク板を除く外周縁を防水シールにて被覆したので、水中で使用する際においても、表示板内に水が浸入してくるおそれがない。
また、前記溝部内における前記第二反射部である前記光輝微細片が、外光を受けて乱反射され、第二反射部に生じる分散された前記光輝微細片の間隙を透過した外光は、前記第一反射板によって反射され、反射光は着色された色の波長のみ外側へ放出されることによって、第二反射部における乱反射と、第二反射部の間隙からの反射光が着色塗料によって有色となって得られる。
また、水中においては、空気中と屈折率が異なる為、距離は実際の距離より近く見え、大きさは水中のほうが大きく見える。これによって、水中において十分な視覚効果を得ることができる。
更に、反射光は水面によって屈折されるので、水中のみではなく、水の外からであっても、前記表示板の位置を容易に確認することができるようになる。
【考案の効果】
【００１１】
本願考案の表示板に係る考案では、透明合成樹脂板の片面に形成される溝部に光輝微細片を分散させ固着してなり、水中にて使用される表示板において、透明合成樹脂板と不透明フィルムを積層させてなる複層板の前記不透明フィルムに溝部を削成し、前記溝部に光輝微細片を分散させて固着し、前記光輝微細片に着色塗料を塗布し、第二反射部を形成し、前記第二反射部を有する前記複層板の裏面側に第一反射板及びコルク板を順次重合固着し、前記コルク板を除く外周縁を防水シールにて被覆したので、水中で使用する際においても、表示板内に水が浸入してくるおそれがない。
また、前記溝部内における前記第二反射部である前記光輝微細片が、外光を受けて乱反射され、第二反射部に生じる分散された前記光輝微細片の間隙を透過した外光は、前記第一反射板によって反射され、反射光は着色された色の波長のみ外側へ放出されることによって、第二反射部における乱反射と、第二反射部の間隙からの反射光が着色塗料によって有色となって得られる。
また、水中においては、空気中と屈折率が異なる為、距離は実際の距離より近く見え、大きさは水中のほうが大きく見える。これによって、水中において十分な視覚効果を得ることができる。
更に、反射光は水面によって屈折されるので、水中のみではなく、水の外からであっても、前記表示板の位置を容易に確認することができるようになる。
これによって、プール壁面における格子が連接してなる排水口の周囲に前記表示板を貼着させるか、又は施工時に埋設させた場合においても、前記排水口の位置を容易に確認することができる。また、水中において、遊泳者は早期に前記排水口の位置を確認することができることから、前記排水口付近における事故の危険から、いち早く回避することができる。
また、プール床面におけるコースロープの真下に位置する箇所等に貼着させるか、又は施行時に埋設させた場合においても、前記プール床面に設置されている前記表示板を容易に確認することができるので、プールサイドから前記表示板の上方の水面に、前記コースロープを張る作業を容易に行うことができる。
【考案を実施するための最良の形態】
【００１２】
以下、本考案の実施の形態における表示板を図面に基づいて説明する。
【００１３】
図１は、本考案の実施例１に係る表示板の平面図である。図２は、本考案の実施例１に係る表示板の不透明フィルムを削成した溝部に光輝微細片を固着したときの断面図である。図３は、本考案の実施例１に係る表示板の不透明フィルム及び透明合成樹脂板の一部を削成した溝部に光輝微細片を固着したときの断面図である。図４は、本考案の実施例１に係る表示板のＡ−Ａ線断面図である。図５は、本考案の実施例１に係る表示板をプール内の排水口外周に設けたときの使用状態図である。図６は、本考案の実施例１に係る表示板をコースロープの真下位置に設けたときの使用状態図である。
【実施例１】
【００１４】
図１及び図４において、表示板１は、透明合成樹脂板２、不透明フィルム３、光輝微細片５、第一反射板６及びコルク板８より構成される。
【００１５】
図２及び図３に示すように、前記透明合成樹脂板２はアクリル樹脂等の合成樹脂によって形成されており、前記不透明フィルム３を積層させることによって、複層板４が形成される。積層方法は、例として真空蒸着法、スクリーン印刷法等が挙げられる。
【００１６】
このようにして形成される前記複層板４の前記不透明フィルム３側より前記透明合成樹脂板２にかけて切削工具、彫刻機等で深さ１．５ｍｍから２ｍｍ程度の溝部４ａが削成される。前記溝部４ａは、前記表示板１における文字、記号、模様等の輪郭を形成する為のもので、前記透明合成樹脂板２から貫通しない程度に前記透明合成樹脂板２の一部のみを削成するか、又は前記不透明フィルム３のみを削成する。
【００１７】
後に、前記溝部４ａに刷毛等でワニスを塗布し、前記光輝微細片５を分散させて固着し、着色塗料にて前記光輝微細片５を着色させ、第二反射部７を形成する。
前記光輝微細片５は、反射面が略角形状で、０．５ｍｍ程度の合成樹脂フィルムにアルミ箔を蒸着した微小な細片であり、反射角度によって、反射光の色が変化するホログラムチップと呼ばれるものを用いる。
【００１８】
図４に示すようにして、後に、前記複層板４における前記不透明フィルム３側に厚さ０．５ｍｍ程度のアルミ板、又はアルミシールからなる第一反射部板６を周知の接着方法にて固着させ、更に、コルク板８を順次重合固着させることで、前記表示板１は形成される。前記コルク板８は、吸水性がなく接着性がよいことから用いるものであって、水中での使用に適する別部材を用いることもできる。
【００１９】
また、前記表示板１は主に水中にて使用されるものである為、図４に示すように、前記コルク板８を除く外周縁１ａをエポキシ又はシリコンゴム系接着剤等の防水シール９で被覆して、水の浸入を防止する。このとき、接着性の低下を防止する為、前記コルク板８が固着されていない面側にはエポキシ又はシリコンゴム系接着剤を塗布しない。
【００２０】
このようにして構成される前記表示板１は、主に水中で使用されるものである。
より具体的には、図５及び図６に示すように、プール１０内のプール壁面１０ａ又はプール床面１０ｂに固着して使用される。前記プール壁面１０ａにおいては、格子１１ａが連接してなる排水口１１の周囲に前記表示板１を貼着させるか、又は施工時に埋設させる。前記プール床面１０ｂにおいては、コースロープ１２の真下に位置する箇所等に貼着させるか、又は施行時に埋設させる。
【００２１】
以上のように本考案によれば、前記透明合成樹脂板２及び前記不透明フィルム３からなる前記覆設板４の片面に、文字、模様等を形成する前記溝部４ａを形成し、前記溝部４ａに前記光輝微細片５を分散させて固着し、前記光輝微細片に着色塗料を塗布して、前記第二反射部７を形成し、前記第一反射板６及び前記コルク板８を固着させて、前記表皮板１における前記コルク板８を除く前記外周縁１ａをエポキシ又はシリコンゴム系接着剤等の前記防水シール９で被覆して、前記プール壁面１０ａ又は前記プール床面１０ｂに貼着させるか、又は施工時に埋設させたので、水中で使用する際においても、前記表示板１内に水が浸入してくるおそれがない。
また、前記溝部４ａ内における前記第二反射部７である前記光輝微細片５が、外光を受けて乱反射され、第二反射部７に生じる分散された前記光輝微細片５の間隙を透過した外光は、前記第一反射板６によって反射され、反射光は着色された色の波長のみ外側へ放出されることによって、第二反射部７における乱反射と、第二反射部７の間隙からの反射光が着色塗料によって有色となって得られる。
また、水中においては、空気中と屈折率が異なる為、距離は実際の距離より近く見え、大きさは水中のほうが大きく見える。これによって、水中において十分な視覚効果を得ることができる。
更に、反射光は水面によって屈折されるので、水中のみではなく、水の外からであっても、前記表示板１の位置を容易に確認することができるようになる。
これによって、前記プール壁面１０ａにおける格子が連接してなる排水口の周囲に前記表示板を貼着させるか、又は施工時に埋設させた場合においても、前記排水口１１の位置を容易に確認することができる。また、水中において、遊泳者は早期に前記排水口１１の位置を確認することができることから、前記排水口１１付近における事故の危険から、いち早く回避することができる。
また、前記プール床面１０ｂにおける前記コースロープ１２の真下に位置する箇所等に貼着させるか、又は施行時に埋設させた場合においても、前記プール床面１０ｂに設置されている前記表示板１を容易に確認することができるので、プールサイドから前記表示板１の上方の水面に、前記コースロープ１２を張る作業を容易に行うことができる。
【００２２】
また、前記溝部４ａの削成方法は上述の本実施例に限るものではなく、スクリーン印刷法を用いた際には、印刷時において、前記不透明フィルム３の面上に前記溝部４ａの外形のみを形成させることもできるし、印刷後においては、上述の削成方法によって前記溝部４ａを削成することもできる。印刷時に形成する場合は、前記不透明フィルム３にのみ前記溝部４ａが形成されることになる。
【００２３】
更に、前記光輝微細片５を前記不透明フィルム３における前記溝部４ａに固着する際には、前記光輝微細片５を有したインク等をスクリーン印刷又は捺染印刷にて行うこともできる。これによって、工程の簡略化を図ることができる。
【図面の簡単な説明】
【００２４】
【図１】本考案の実施例１に係る表示板の平面図である。
【図２】本考案の実施例１に係る表示板の不透明フィルムを削成した溝部に光輝微細片を固着したときの断面図である。
【図３】本考案の実施例１に係る表示板の不透明フィルム及び透明合成樹脂板の一部を削成した溝部に光輝微細片を固着したときの断面図である。
【図４】本考案の実施例１に係る表示板のＡ−Ａ線断面図である。
【図５】本考案の実施例１に係る表示板をプール内の排水口外周に設けたときの使用状態図である。
【図６】本考案の実施例１に係る表示板をコースロープの真下位置に設けたときの使用状態図である。
【符号の説明】
【００２５】
１      表示板
１ａ    外周縁
２      透明合成樹脂板
３      不透明合フィルム
４      複層板
４ａ    溝部
５      第一反射板
６      光輝微細片
７      第二反射板
８      コルク板
９      防水シール
１０      プール
１０ａ    プール壁面
１０ｂ    プール床面
１１    排水口
１１ａ  格子
１２    コースロープ
【図１】
0003132462.tif 000003
【図２】
0003132462.tif 000004
【図３】
0003132462.tif 000005
【図４】
0003132462.tif 000006
【図５】
0003132462.tif 000007
【図６】
0003132462.tif 000008